(57)【要約】【課題】本発明は、回収された衣類をクリーニングする前にオゾンによって短時間で強制的に除菌を行なうことで作業者への感染を防ぐことを可能とする衣類殺菌装置を提供することを目的とするものである。【解決手段】本発明は、中空状のケース本体１内に、密閉状の回転ドラム２が駆動モーター３によって正，逆駆動回転し、回転ドラム２内へオゾンガスを注入することによって衣類を強制的に殺菌する構成とする。【選択図】        図１
2004353121.tif 000002
【特許請求の範囲】
【請求項１】
開閉扉が前面に設けられる中空状のケース本体と、
該ケース本体内に前記開閉扉と連通状とされる衣類投入扉が設けられる密閉式の回転ドラムと、
該回転ドラム内周面に設けられる攪拌用突起部と、
該回転ドラムを正，逆駆動回転させる駆動装置と、
該回転ドラム内へオゾンガスを注入するオゾン発生装置と、
該回転ドラム内より排出されるオゾンガスを分解するオゾン分解装置とを備える
ことを特徴とする衣類殺菌装置。
【発明の詳細な説明】
【０００１】
【発明の属する技術分野】
本発明は、衣類殺菌装置に関する。詳しくはクリーニング前の衣類をオゾンによって殺菌する衣類殺菌装置に係るものである。
【０００２】
【従来の技術】
従来、医療機関や各種研究機関及び食品関係において使用される白衣などの衣類にあっては、上掛けのようにして繰り返し着用される場合が多いことから、それらに付着した汚れや雑菌などが蓄積されやすいものとなっている。
【０００３】
そこで前記繰り返し着用される衣類に蓄積される雑菌や臭いを除去するための装置として、図７に示すように、衣類殺菌収納装置１０１の天面側にオゾン発生装置１０２が取付けられ、オゾン発生装置１０２の下部からそのオゾン発生装置１０２の側方に配置した棚１０３の下部に亘る収納空間１０４の上面１０５および収納空間１０４の下面１０６には殺菌灯１０７が取り付けられている。さらに、収納空間１０４を囲む内面にはそれぞれ抗菌性物質を有する表面仕上げ材１０８が設けられた構成の衣類殺菌収納装置がある（特許文献１参照。）。
【０００４】
【特許文献１】
特開平８−１５０１９４号公報（要約書、第１図参照。）
【０００５】
【発明が解決しようとする課題】
しかしながら前記衣類殺菌収納装置では、再度衣類を着用することを前提として例えば就労後から翌日の就労開始までの時間内にオゾンや殺菌灯によって除菌や脱臭を行なうものであり、衣類をハンガーなどの掛けた状態で収納するために、一度に多くの衣類の除菌を行なうスペースを確保することができない問題がある。
【０００６】
一方、医療機関や各種研究機関及び食品関係において使用される白衣などの衣類にあっては、衣類の殺菌がされていない状態でクリーニングに出されており、クリーニング業者がこれらの衣類を取扱う場合には細心の注意を払わなければならず、ゴム手袋やマスクの着用による作業が強いられており、非常に作業効率が悪くなる問題がある。
【０００７】
本発明は、以上の点に鑑みて創案されたものであって、回収された衣類をクリーニングする前にオゾンによって短時間で強制的に除菌を行なうことで作業者への感染を防ぐことを可能とする衣類殺菌装置を提供することを目的とするものである。
【０００８】
【課題を解決するための手段】
上記の目的を達成するために、本発明に係る衣類殺菌装置は、開閉扉が前面に設けられる中空状のケース本体と、該ケース本体内に前記開閉扉と連通状とされる衣類投入扉が設けられる密閉式の回転ドラムと、該回転ドラム内周面に設けられる攪拌用突起部と、該回転ドラムを正，逆駆動回転させる駆動装置と、該回転ドラム内へオゾンガスを注入するオゾン発生装置と、該回転ドラム内より排出されるオゾンガスを分解するオゾン分解装置とを備える。
【０００９】
ここで、回転ドラム内にクリーニングする前の衣類を投入し、回転ドラム内へオゾンガスを注入する。これにより回転ドラム内はオゾンガスによって充満し、この状態で回転ドラムを正，逆駆動回転させることで、衣類は攪拌用突起部によって強制的に攪拌され、短時間での殺菌が可能となる。
【００１０】
【発明の実施の形態】
以下、本発明の実施の形態を図面を参酌しながら説明し、本発明の理解に供する。
【００１１】
図１は本発明を適用した衣類殺菌装置の正面説明図、図２は図１における平面説明図、図３は図１における内部機構示す平面説明図、図４は図１における内部機構を示す側面説明図、図５は図１における背面側の内部機構を示す説明図である。ここで示す衣類殺菌装置は、中空状のケース本体１内に、密閉状の回転ドラム２が駆動モーター３によって正，逆駆動回転できる構成とする。
【００１２】
ここで、ケース本体１の正面側には水平方向へ開閉する開閉扉４が設けられており、この開閉扉４の近傍には開閉を検知する開閉検知センサー５が配置されている。そして制御部６および操作部７が設けられ、さらにはケース本体１の上部には操作状況を知らせるパトライト８が設けられている。
【００１３】
また、回転ドラム２の正面側には開閉扉４より小とした密閉式の衣類投入扉９が設けられている。そして回転ドラム２の背面側中心に軸部１０が突設され、この回転ドラム２がケース本体１の前部側下部に設けられる受けローラー１１とケース本体１の後部側に設けられる軸受け部１２によって回転自在な構成とするものである。
【００１４】
そこで前記軸部１０にはスプロケット１３が装着され、このスプロケット１３とケース本体１底部に配置される駆動モーター３とをチェーン１５によって連結することにより、回転ドラム２を正，逆回転する機構とするものである。
【００１５】
次に図６に示すように軸部１０は、その先端が回転ドラム２内へ貫通され、基端より先端手前までオゾン注入穴１６が穿孔される。そしてオゾン注入穴１６の先端より回転ドラム２の周方向へオゾン搬送管１７が派生される。
【００１６】
そしてオゾン搬送管１７は図４に示すように、回転ドラム２内に９０度ごとに形成される中空状の撹拌用突起部１８に連通される。この撹拌用突起部１８には複数の噴出穴１９が穿孔され、撹拌用突起部１８内に充満したオゾンガスが噴出穴１９より回転ドラム２内へ噴出される機構とする。
【００１７】
一方、図６に示すように軸部１０のオゾン注入穴１６の周囲に４個の排出穴２０が軸部１０の先端より基端手前まで穿孔され、さらに軸部１０の周方向へ折曲形成されて軸部１０の外周壁面に開口される。そして軸部１０の外周壁面に開口される排出穴２０に沿ってオゾン排ガス回収溝部２１が形成される回収受け部２２が設けられる。
【００１８】
この回収受け部２２は密閉用リング２３およびベアリング部材２４によってオゾン排ガスが漏出しない状態で軸部１０が回転自在となるように設置され、オゾン排ガス回収溝部２１に連通状に設けられる排出管２５と図３に示すオゾン分解装置２６とをホース２７によって接続し、排出されるオゾンガスをオゾン分解装置２６によって無害化して放出する。
【００１９】
また、軸部１０の基端にはオゾン供給管２９がオゾン注入穴１６と連通状、かつ軸部１０が回転自在となるように接続される。そしてオゾン供給管２９はオゾン発生装置２８に接続され、このオゾン発生装置２８により生成されたオゾンがエアアコンプレッサー（図示せず。）などの圧搾空気圧入によって軸部１０より回転ドラム２内へ供給される。
【００２０】
ここで示すオゾン発生装置は、平行平板状もしくは同軸円筒状に配置された一対の電極の間に酸素含有気体を流しつつ、交流高電圧をかけて、酸素含有気体中に放電を起こさせてオゾンを発生させる放電法を採用すものであるが、この他に水中に電解物質を挟んで、一対の電極をおいて、両極間に直流電圧をかけて水の電気分解を起こさせて、その際酸素発生側に酸素と同時にオゾンを発生させる電解法や紫外線を空気などにあててオゾンを発生させる紫外線ランプ法などがあり、状況に応じて最も適したオゾン発生装置を採用することが望ましい。
【００２１】
以上の構成より成る本発明装置では、まず、開閉扉４および衣類投入扉９を開き、回転ドラム２内へ病院などから回収されてきた衣類を投入し、開閉扉４および衣類投入扉９を閉める。
【００２２】
次に、開閉扉４および衣類投入扉９が確実に閉まっているかを確認する。そこで操作部７の操作を自動にすると、前記開閉扉４および衣類投入扉９が開いているときは開閉検知センサー５によって検知され、パトライト８が赤に点滅する。また、開閉扉４および衣類投入扉９が確実に閉まっているときはパトライト８が緑に点滅する。
【００２３】
そして操作部７の運転ボタン（図示せず。）を押すとパトライト８は緑が点灯し、回転ドラム２が回転し始める。これと同時にオゾン発生装置２８および空気圧入弁（図示せず。）が開いて、オゾン発生装置２８により生成されるオゾンが圧搾空気によってオゾン供給管２７よりオゾン注入穴１６内へとオゾンが圧入され、更にオゾン搬送管１７より回転ドラム２内に形成される攪拌用突起部１８内へ送り込まれる。
【００２４】
ここで、攪拌用突起部１８内に充満したオゾンガスは、攪拌用突起部１８面に穿孔される噴出穴１９より回転ドラム２内へオゾンガスが噴出される。この場合、回転ドラム２内の衣類は回転ドラム２の正，逆回転の際に攪拌用突起部１８によって衣類が係留されており、この衣類内へオゾンガスが噴射することで効率の良いオゾンガスによる殺菌が可能となる。
【００２５】
次に制御部６によるドラム回転用タイマーがタイムアップすると回転ドラム２の回転が停止し、一定時間後逆回転を行い、これを交互に行う。そして制御部６のオゾン発生タイマーがタイムアップするとオゾン発生装置２８の電源がＯＦＦの状態となり、圧搾空気のみによる回転ドラム２内への圧入が行われる。
【００２６】
この時に、オゾン放出タイマーが作動し、回転ドラム２内の気圧の上昇により、回転ドラム２内のオゾンガスは軸部１０の排出穴２０内を通り、オゾン排ガス回収溝部２１より排出管２１およびホース２７を通してオゾン分解装置２６へ送り込まれる。そしてオゾン分解装置２６によってオゾンガスは無害化されて外部へ放出される。次にオゾン放出タイマーがタイムアップすれば作業工程の完了となり、衣類投入扉９が水平位置に復帰したときに、パトライト８が緑の点灯から点滅に変わり自動運転が完了する。
【００２７】
本発明では密閉状とされる回転ドラム内へ衣類を投入し、攪拌しながらオゾンガスを注入することによって高濃度オゾンガスによる衣類の殺菌が可能となり、これにより短時間での作業が可能となる。
【００２８】
【発明の効果】
以上述べて来た如く本発明によれば、雑菌、あるいは血液が付着した状態の衣類を病院などから回収し、クリーニングを行う前にオゾンガスによる殺菌を行うことで感染することなく、かつ作業者が安心してクリーニング作業を行うことができる。
【００２９】
また、密閉式の回転ドラムによって大量の衣類を短時間のうちにオゾンガスによって強制的に殺菌・消臭を行うことが可能となり、他の衣類と混合した状態でのクリーニングが可能となり、作業効率が向上する。
【図面の簡単な説明】
【図１】本発明を適用した衣類殺菌装置の正面説明図である。
【図２】図２は図１における平面説明図である。
【図３】図３は図１における内部機構示す平面説明図である。
【図４】図４は図１における内部機構を示す側面説明図である。
【図５】図５は図１における背面側の内部機構を示す説明図である。
【図６】本発明を適用した軸部を内部機構を示す拡大断面説明図である。
【図７】従来の衣類殺菌装置の一例を示す説明図である。
【符号の説明】
１      ケース本体
２      回転ドラム
３      駆動モーター
４      開閉扉
５      開閉検知センサー
６      制御部
７      操作部
８      パトライト
９      衣類投入扉
１０    軸部
１１    ローラー
１２    軸受け部
１３    スプロケット
１５    チェーン
１６    オゾン注入穴
１７    オゾン搬送管
１８    撹拌用突起部
１９    噴出穴
２０    排出穴
２１    オゾン排ガス回収溝部
２２    回収受け部
２３    密閉用リング
２４    ベアリング部材
２５    排出管
２６    オゾン分解装置
２８    オゾン発生装置
２９    オゾン供給管
【図１】
2004353121.tif 000003
【図２】
2004353121.tif 000004
【図３】
2004353121.tif 000005
【図４】
2004353121.tif 000006
【図５】
2004353121.tif 000007
【図６】
2004353121.tif 000008
【図７】
2004353121.tif 000009